【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
無線通信方法であって、
第１の無線ノードにおいて、第２の無線ノードに関するスケジューリングされたデータ受信を示す情報を受信することであって、前記受信された情報は、前記第２の無線ノードによって定義された少なくとも１つの送信パラメータを備えることと、
前記受信された情報に基づき、第３の無線ノードへの前記第１の無線ノードによる送信が前記第２の無線ノードにおける受信と干渉するかどうかを決定することと、
前記干渉決定に基づき、前記スケジューリングされたデータ受信と関連づけられた期間中に前記第１の無線ノードから前記第３の無線ノードへ送信すべきかどうかを決定することとであって、前記スケジューリングされたデータ受信と関連づけられた前記期間は、複数の時間セグメントに分割されること、とを備える、無線通信方法。
【請求項２】
送信すべきかどうかの前記決定は、制御チャネルを介して送信すべきかどうかを決定することを備える請求項１に記載の方法。
【請求項３】
無線通信方法であって、
第１の無線ノードにおいて、第２の無線ノードに関するスケジューリングされたデータ受信を示す情報を受信することと、
前記受信された情報に基づいて送信制限状態を定義することと、
前記送信制限状態に基づき、第３の無線ノードへの前記第１の無線ノードによる送信が前記スケジューリングされたデータ受信と関連づけられた期間中において前記第２の無線ノードにおける受信と干渉するかどうかを決定することと、
前記干渉決定に基づき、前記期間中に制御チャネル上で前記第１の無線ノードから前記第３の無線ノードへ送信すべきかどうかを決定することとであって、前記スケジューリングされたデータ受信と関連づけられた前記期間は、複数の時間セグメントに分割されること、とを備える、無線通信方法。
【請求項４】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項３に記載の方法。
【請求項５】
前記第１の無線ノードは、データチャネルを介してデータを送信し、
前記制御チャネル及び前記データチャネルは、共通の周波数帯域内において周波数分割多重化され、
前記制御チャネルは、前記共通の周波数帯域内に散在される複数の副周波数帯域と関連づけられる請求項２に記載の方法。
【請求項６】
送信すべきかどうかの前記決定は、
前記干渉決定に基づき、送信要求を出すべきかどうか又はどのようにして出すかを決定すること、
を備える請求項１に記載の方法。
【請求項７】
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える請求項６に記載の方法。
【請求項８】
無線通信方法であって、
第１の無線ノードにおいて、第２の無線ノードに関するスケジューリングされたデータ受信を示す情報を受信することと、
前記受信された情報に基づいて送信制限状態を定義することと、
前記送信制限状態に基づき、第３の無線ノードへの前記第１の無線ノードによる送信が前記スケジューリングされたデータ受信と関連づけられた期間中において前記第２の無線ノードにおける受信と干渉するかどうかを決定することであって、前記スケジューリングされたデータ受信と関連づけられた前記期間は、複数の時間セグメントに分割されることと、
前記干渉決定に基づき、前記第３の無線ノードに送信要求を出すべきかどうか又はどのようにして出すかを決定すること、とを備える、無線通信方法。
【請求項９】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項８に記載の方法。
【請求項１０】
前記送信が受信と干渉するかどうかの前記決定は、受信された許可メッセージ又は受信された肯定応答メッセージと関連づけられた受信信号強度表示に基づく請求項８に記載の方法。
【請求項１１】
前記受信された情報は、第４の無線ノードによる送信要求に応じて前記第２の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項１に記載の方法。
【請求項１２】
前記第２の無線ノードは、スケジューリングされた送信期間内において定義された複数の時間セグメント中に第４の無線ノードによって送信されたデータを受信し、
制御情報の送信又は受信に関する時間間隔は、前記時間セグメント間において一時的に配置される請求項１に記載の方法。
【請求項１３】
前記受信された情報は、前記第２の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項１２に記載の方法。
【請求項１４】
前記期間に後続する定義された期間中に制御情報の有無をモニタリングすることと、
前記受信された制御情報に基づき、送信制限状態と、レート予測状態と、から成るグループの少なくとも１つを定義すること、とをさらに備える請求項１に記載の方法。
【請求項１５】
希望される干渉低減レベルと、クリアされるべき資源と、受信無線ノードにおける受信が希望されるサービス品質レベルを満たしていない度合いの表示と、から成るグループの少なくとも１つを備える資源利用メッセージを受信することと、
前記資源利用メッセージに基づき、前記第１の無線ノードによる送信を制限すべきかどうかを決定すること、とをさらに備える請求項１に記載の方法。
【請求項１６】
送信を制限すべきかどうかの前記決定は、送信要求を送信するのを控えることと、のちの時点において送信するように要求することと、送信要求を遅らせることと、送信期間を決定することと、低下された電力レベルで送信するように要求すること、とから成るグループの少なくとも１つを備える請求項１５に記載の方法。
【請求項１７】
受信された資源利用メッセージに応じて、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記第１の無線ノードによる送信が前記第２の無線ノードにおける受信と干渉する可能性がある度合いに関連する一組の規則を修正すること、とから成るグループの少なくとも１つを実行することをさらに備える請求項１５に記載の方法。
【請求項１８】
無線通信のための装置であって、
第１の無線ノードに関するスケジューリングされたデータ受信を示す情報を受信するように構成された受信機であって、前記受信された情報は、前記第１の無線ノードによって定義された少なくとも１つの送信パラメータを備える受信機と、
前記受信された情報に基づき、第２の無線ノードへの前記装置による送信が前記第１の無線ノードにおける受信と干渉するかどうかを決定するように構成された干渉決定器と、
前記干渉決定に基づき、前記スケジューリングされたデータ受信と関連づけられた期間中において前記装置から前記第２の無線ノードへ送信すべきかどうかを決定するように構成された送信コントローラであって、前記スケジューリングされたデータ受信と関連づけられた前記期間は、複数の時間セグメントに分割される送信コントローラと、
を備える、無線通信のための装置。
【請求項１９】
送信すべきかどうかの前記決定は、制御チャネルを介して送信すべきかどうかを決定することを備える請求項１８に記載の装置。
【請求項２０】
無線通信のための装置であって、
第１の無線ノードに関するスケジューリングされたデータ受信を示す情報を受信するように構成された受信機と、
前記受信された情報に基づいて送信制限状態を定義するように構成された状態コントローラと、
前記送信制限状態に基づき、第２の無線ノードへの前記装置による送信が前記スケジューリングされたデータ受信と関連づけられた期間中において前記第１の無線ノードにおける受信と干渉するかどうかを決定するように構成された干渉決定器と、
前記干渉決定に基づき、前記期間中において制御チャネル上で前記装置から前記第２の無線ノードへ送信すべきかどうかを決定するように構成された送信コントローラと、
を備える、無線通信のための装置。
【請求項２１】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項２０に記載の装置。
【請求項２２】
前記装置は、データチャネルを介してデータを送信し、
前記制御チャネル及び前記データチャネルは、共通の周波数帯域内において周波数分割多重化され、
前記制御チャネルは、前記共通の周波数帯内に散在される複数の副周波数帯域と関連づけられる請求項１９に記載の装置。
【請求項２３】
送信すべきかどうかの前記決定は、
前記干渉決定に基づき、送信要求を出すべきかどうか又はどのようにして出すかを決定すること、を備える請求項１８に記載の装置。
【請求項２４】
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える請求項２３に記載の装置。
【請求項２５】
無線通信のための装置であって、
第１の無線ノードに関するスケジューリングされたデータ受信を示す情報を受信するように構成された受信機と、
前記受信された情報に基づいて送信制限状態を定義するように構成された状態コントローラと、
前記送信制限状態に基づき、第２の無線ノードへの前記装置による送信が前記スケジューリングされたデータ受信と関連づけられた期間中において前記第１の無線ノードにおける受信と干渉するかどうかを決定するように構成された干渉決定器と、
前記干渉決定に基づき、前記期間中において前記装置から前記第２の無線ノードへ送信すべきかどうかを決定するように構成された送信コントローラであって、前記スケジューリングされたデータ受信と関連づけられた前記期間は、複数の時間セグメントに分割される送信コントローラと、
を備える、無線通信のための装置。
【請求項２６】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項２５に記載の装置。
【請求項２７】
前記送信が受信と干渉するかどうかの前記決定は、受信された許可メッセージ又は受信された肯定応答メッセージと関連づけられた受信信号強度表示に基づく請求項２５に記載の装置。
【請求項２８】
前記受信された情報は、送信要求に応じて前記第１の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項１８に記載の装置。
【請求項２９】
前記第１の無線ノードは、スケジューリングされた送信期間内において定義された複数の時間セグメント中に第３の無線ノードによって送信されたデータを受信し、
制御情報の送信又は受信に関する時間間隔が、前記時間セグメント間において一時的に配置される請求項１８に記載の装置。
【請求項３０】
前記受信された情報は、前記第１の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項２９に記載の装置。
【請求項３１】
前記受信機は、前記期間に後続する定義された期間中に制御情報の有無をモニタリングするようにさらに構成され、
前記装置は、受信された制御情報に基づき、送信制限状態と、レート予測状態と、から成るグループの少なくとも１つを定義するように構成された状態コントローラをさらに備える請求項１８に記載の装置。
【請求項３２】
前記受信機は、希望される干渉低減レベルと、クリアされるべき資源と、受信無線ノードにおける受信が希望されるサービス品質レベルを満たしていない度合いの表示と、から成るグループの少なくとも１つを備える資源利用メッセージを受信するようにさらに構成され、
前記装置は、前記資源利用メッセージに基づき、前記装置による送信を制限すべきかどうかを決定するように構成された資源利用メッセージプロセッサをさらに備える請求項１８に記載の装置。
【請求項３３】
送信を制限すべきかどうかの前記決定は、送信要求を送信するのを控えることと、のちの時点において送信するように要求することと、送信要求を遅らせることと、送信期間を決定することと、低下された電力レベルで送信するように要求すること、とから成るグループの少なくとも１つを備える請求項３２に記載の装置。
【請求項３４】
受信された資源利用メッセージに応じて、前記送信コントローラは、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記装置による送信が前記無線ノードにおける受信と干渉する可能性がある度合いに関連する一組の規則を修正すること、とから成るグループの少なくとも１つを実行する請求項３２に記載の装置。
【請求項３５】
無線通信のための装置であって、
第１の無線ノードに関するスケジューリングされたデータ受信を示す情報を受信するための手段であって、前記受信された情報は、前記第１の無線ノードによって定義された少なくとも１つの送信パラメータを備える、受信するための手段と、
前記受信された情報に基づき、第２の無線ノードへの前記装置による送信が前記第１の無線ノードにおける受信と干渉するかどうかを決定するための手段と、
前記干渉決定に基づき、前記スケジューリングされたデータ受信と関連づけられた期間中に前記装置から前記第２の無線ノードへ送信すべきかどうかを決定するための手段と、
を備える、無線通信のための装置。
【請求項３６】
送信すべきかどうかの前記決定は、制御チャネルを介して送信すべきかどうかを決定することを備える請求項３５に記載の装置。
【請求項３７】
無線通信のための装置であって、
第１の無線ノードに関するスケジューリングされたデータ受信を示す情報を受信するための手段と、
前記受信された情報に基づいて送信制限状態を定義するための手段と、
前記送信制限状態に基づき、第２の無線ノードへの前記装置による送信が前記スケジューリングされたデータ受信と関連づけられた期間中において前記第１の無線ノードにおける受信と干渉するかどうかを決定するための手段と、
前記干渉決定に基づき、前記期間中に制御チャネル上で前記装置から前記第２の無線ノードへ送信すべきかどうかを決定するための手段と、
を備える、無線通信のための装置。
【請求項３８】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項３７に記載の装置。
【請求項３９】
前記装置は、データチャネルを介してデータを送信し、
前記制御チャネル及び前記データチャネルは、共通の周波数帯域内において周波数分割多重化され、
前記制御チャネルは、前記共通の周波数帯内に散在される複数の副周波数帯域と関連づけられる請求項３６に記載の装置。
【請求項４０】
送信すべきかどうかの前記決定は、
前記干渉決定に基づき、送信要求を出すべきかどうか又はどのようにして出すかを決定すること、を備える請求項３５に記載の装置。
【請求項４１】
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える請求項４０に記載の装置。
【請求項４２】
無線通信のための装置であって、
第１の無線ノードに関するスケジューリングされたデータ受信を示す情報を受信するための手段と、
前記受信された情報に基づいて送信制限状態を定義するための手段と、
前記送信制限状態に基づき、第２の無線ノードへの前記装置による送信が前記スケジューリングされたデータ受信と関連づけられた前記期間中において前記第１の無線ノードにおける受信と干渉するかどうかを決定するための手段と、
前記干渉決定に基づき、前記期間中において前記装置から前記第２の無線ノードへ送信するかどうかを決定するための手段と、
を備える、無線通信のための装置。
【請求項４３】
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える請求項４２に記載の装置。
【請求項４４】
前記送信が受信と干渉するかどうかの前記決定は、受信された許可メッセージ又は受信された肯定応答メッセージと関連づけられた受信信号強度表示に基づく請求項４２に記載の装置。
【請求項４５】
前記受信された情報は、送信要求に応じて前記第１の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項３５に記載の装置。
【請求項４６】
前記第１の無線ノードは、スケジューリングされた送信期間内において定義された複数の時間セグメント中に第３の無線ノードによって送信されたデータを受信し、
制御情報の送信又は受信に関する時間間隔が、前記時間セグメント間において一時的に配置される請求項３５に記載の装置。
【請求項４７】
前記受信された情報は、前記第１の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項４６に記載の装置。
【請求項４８】
受信するための前記手段は、前記期間に後続する定義された期間中に制御情報の有無をモニタリングし、
前記装置は、受信された制御情報に基づき、送信制限状態と、レート予測状態と、から成るグループの少なくとも１つを定義するための手段をさらに備える請求項３５に記載の装置。
【請求項４９】
受信するための前記手段は、希望される干渉低減レベルと、クリアされるべき資源と、受信無線ノードにおける受信が希望されるサービス品質レベルを満たしていない度合いの表示と、から成るグループの少なくとも１つを備える資源利用メッセージをさらに受信し、
前記装置は、前記資源利用メッセージに基づき、前記装置による送信を制限すべきかどうかを決定するための手段をさらに備える請求項３５に記載の装置。
【請求項５０】
送信を制限すべきかどうかの前記決定は、送信要求を送信するのを控えることと、のちの時点において送信するように要求することと、送信要求を遅らせることと、送信期間を決定することと、低下された電力レベルで送信するように要求すること、とから成るグループの少なくとも１つを備える請求項４９に記載の装置。
【請求項５１】
受信された資源利用メッセージに応じて、送信すべきかどうかを決定するための前記手段は、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記装置による送信が前記無線ノードにおける受信と干渉する可能性がある度合いに関連する一組の規則を修正すること、とから成るグループの少なくとも１つを実行する請求項４９に記載の装置。
【請求項５２】
無線通信のためのコンピュータプログラムであって、
第１の無線ノードにおいて、第２の無線ノードに関するスケジューリングされたデータ受信を示す情報を受信し、
前記受信された情報に基づき、第３の無線ノードへの前記第１の無線ノードによる送信が前記第２の無線ノードにおける受信と干渉するかどうかを決定し、
前記干渉決定に基づき、前記スケジューリングされたデータ受信と関連づけられた期間中に前記第１の無線ノードから前記第３の無線ノードへ送信すべきかどうかを決定するために装置によって実行可能な符号を備えるコンピュータによって読み取り可能な媒体であって、前記受信された情報は、前記第２の無線ノードによって定義された少なくとも１つの送信パラメータを備えるコンピュータによって読み取り可能な媒体、を備える、無線通信のためのコンピュータプログラム。
【請求項５３】
無線通信のためのアクセスポイントであって、
アンテナと、
前記アンテナを介して、第１の無線ノードに関するスケジューリングされたデータ受信を示す情報を受信するように構成された受信機であって、前記受信された情報は、前記第１の無線ノードによって定義された少なくとも１つの送信パラメータを備える受信機と、
前記受信された情報に基づき、第２の無線ノードへの前記アクセスポイントによる送信が前記第１の無線ノードにおける受信と干渉するかどうかを決定するように構成された干渉決定器と、
前記干渉決定に基づき、前記スケジューリングされたデータ受信と関連づけられた期間中に前記第２の無線ノードから前記アンテナを介してデータを送信すべきかどうかを決定するように構成された送信決定器と、
を備える、無線通信のためのアクセスポイント。
【請求項５４】
無線通信のためのアクセス端末であって、
第１の無線ノードに関するスケジューリングされたデータ受信を示す情報を受信するように構成された受信機であって、前記受信された情報は、前記第１の無線ノードによって定義された少なくとも１つの送信パラメータを備える受信機と、
前記受信された情報に基づき、第２の無線ノードへの前記アクセス端末による送信が前記第１の無線ノードにおける受信と干渉するかどうかを決定するように構成された干渉決定器と、
前記干渉決定に基づき、前記スケジューリングされたデータ受信と関連づけられた期間中に前記アクセス端末から前記第２の無線ノードへ送信すべきかどうかを決定するように構成された送信決定器と、
前記受信機によって受信されたデータに基づいて表示を出力するように構成されたユーザーインタフェースと、
を備える、無線通信のためのアクセス端末。
【請求項５５】
無線通信方法であって、
第１の無線ノードに関するスケジューリングされたデータ受信を示す情報を定義することであって、前記情報は、第２の無線ノードが前記スケジューリングされたデータ受信と関連づけられた期間中に第３の無線ノードに送信すべきかどうかを決定するのを可能にするように定義され、前記情報は、前記第１の無線ノードによって定義された少なくとも１つの送信パラメータを備えることと、
前記定義された情報を送信すること、とを備える、無線通信方法。
【請求項５６】
前記定義された情報は、第４の無線ノードによって生成された送信要求に応じて生成された許可メッセージを含む請求項５５に記載の方法。
【請求項５７】
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項５６に記載の方法。
【請求項５８】
スケジューリングされた送信期間内において定義された複数の時間セグメント中にデータを受信することをさらに備え、制御情報の送信に関する時間間隔が、前記時間セグメント間において一時的に配置される請求項５５に記載の方法。
【請求項５９】
前記定義された情報は、前記時間間隔中に送信される少なくとも１つの肯定応答メッセージを含む請求項５８に記載の方法。
【請求項６０】
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項５９に記載の方法。
【請求項６１】
前記第１の無線ノードは、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯域内に散在される複数の副周波数帯域と関連づけられる請求項５５に記載の方法。
【請求項６２】
前記第１の無線ノードは、第４の無線ノードが送信中に持続可能な形でデータを受信することができるかどうかを決定することと、
前記持続可能な受信の決定に基づき、前記定義された情報を送信すべきかどうかを決定すること、とをさらに備える請求項５５に記載の方法。
【請求項６３】
前記持続可能な受信の決定は、レート予測状態に基づく請求項６２に記載の方法。
【請求項６４】
前記レート予測状態は、確認メッセージと関連づけられた送信開始時間と、送信終了時間と、送信期間と、送信電力デルタと、受信信号強度表示と、から成るグループの少なくとも１つを備える請求項６３に記載の方法。
【請求項６５】
第４の無線ノードが送信中に前記第１の無線ノードが持続可能な形でデータを受信することができるかどうかを決定することと、
前記持続可能な受信の決定に基づき、異なるスケジュールと、異なる送信期間と、異なる送信電力と、異なる数の冗長性ビットと、異なるコードレートと、から成るグループの少なくとも１つを含むように前記情報を定義すること、とをさらに備える請求項５５に記載の方法。
【請求項６６】
前記第２の無線ノードのスケジューリングされた送信期間に関連する情報を入手することと、
前記入手された情報に基づいて前記定義された情報の送信をスケジューリングすること、とをさらに備える請求項５５に記載の方法。
【請求項６７】
前記定義された情報の前記送信は、前記スケジューリングされた送信期間後に開始するようにスケジューリングされる請求項６６に記載の方法。
【請求項６８】
無線通信のための装置であって、
前記装置に関するスケジューリングされたデータ受信を示す情報を定義するように構成された受信コントローラであって、前記情報は、第１の無線ノードが前記スケジューリングされたデータ受信と関連づけられた期間中に第２の無線ノードに送信すべきかどうかを決定するのを可能にするように定義され、前記情報は、前記装置によって定義された少なくとも１つの送信パラメータを備える受信コントローラと、
前記定義された情報を送信するように構成された送信機と、
を備える、無線通信のための装置。
【請求項６９】
前記定義された情報は、第３の無線ノードによって生成された送信要求に応じて生成された許可メッセージを含む請求項６８に記載の装置。
【請求項７０】
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項６９に記載の装置。
【請求項７１】
スケジューリングされた送信期間内において定義された複数の時間セグメント中にデータを受信するように構成された受信機をさらに備え、制御情報の送信に関する時間間隔が、前記時間セグメント間において一時的に配置される請求項６８に記載の装置。
【請求項７２】
前記定義された情報は、前記時間間隔中に送信される少なくとも１つの肯定応答メッセージを含む請求項７１に記載の装置。
【請求項７３】
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項７２に記載の装置。
【請求項７４】
前記装置は、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯内に散在される複数の副周波数帯域と関連づけられる請求項６８に記載の装置。
【請求項７５】
第３の無線ノードが送信中に前記装置が持続可能な形でデータを受信することができるかどうかを決定するように構成された持続可能受信決定器と、
前記持続可能な受信の決定に基づき、前記定義された情報を送信すべきかどうかを決定するように構成された受信コントローラと、をさらに備える請求項６８に記載の装置。
【請求項７６】
前記持続可能な受信の決定は、レート予測状態に基づく請求項７５に記載の装置。
【請求項７７】
前記レート予測状態は、確認メッセージと関連づけられた送信開始時間と、送信終了時間と、送信期間と、送信電力デルタと、受信信号強度表示と、から成るグループの少なくとも１つを備える請求項７６に記載の装置。
【請求項７８】
前記装置は、第３の無線ノードが送信中に前記装置が持続可能な形でデータを受信することができるかどうかを決定するように構成された持続可能受信決定器をさらに備え、
前記持続可能な受信の決定に基づき、前記受信コントローラは、異なるスケジュールと、異なる送信期間と、異なる送信電力と、送信すべき異なる数の冗長性ビットと、異なるコードレートと、から成るグループの少なくとも１つを含むように前記情報を定義するようにさらに構成される請求項６８に記載の装置。
【請求項７９】
前記装置は、前記第１の無線ノードのスケジューリングされた送信期間に関連する情報を入手するように構成された受信機をさらに備え、
前記受信コントローラは、前記入手された情報に基づいて前記定義された情報の送信をスケジューリングするようにさらに構成される請求項６８に記載の装置。
【請求項８０】
前記定義された情報の前記送信は、前記スケジューリングされた送信期間後に開始するようにスケジューリングされる請求項７９に記載の装置。
【請求項８１】
無線通信のための装置であって、
前記装置に関するスケジューリングされたデータ受信を示す情報を定義するための手段であって、前記情報は、第１の無線ノードが前記スケジューリングされたデータ受信と関連づけられた期間中に第２の無線ノードに送信すべきかどうかを決定するのを可能にするように定義され、前記情報は、前記装置によって定義された少なくとも１つの送信パラメータを備える手段と、
前記定義された情報を送信するための手段と、を備える、無線通信のための装置。
【請求項８２】
前記定義された情報は、第３の無線ノードによって生成された送信要求に応じて生成された許可メッセージを含む請求項８１に記載の装置。
【請求項８３】
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える請求項８２に記載の装置。
【請求項８４】
スケジューリングされた送信期間内において定義された複数の時間セグメント中にデータを受信するための手段をさらに備え、制御情報の送信に関する時間間隔が、前記時間セグメント間において一時的に配置される請求項８１に記載の装置。
【請求項８５】
前記定義された情報は、前記時間間隔中に送信される少なくとも１つの肯定応答メッセージを含む請求項８４に記載の装置。
【請求項８６】
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える請求項８５に記載の装置。
【請求項８７】
前記装置は、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯域内に散在される複数の副周波数帯域と関連づけられる請求項８１に記載の装置。
【請求項８８】
第３の無線ノードが送信中に前記装置が持続可能な形でデータを受信することができるかどうかを決定するための手段と、
前記持続可能な受信の決定に基づき、前記定義された情報を送信すべきかどうかを決定するための手段と、をさらに備える請求項８１に記載の装置。
【請求項８９】
前記持続可能な受信の決定は、レート予測状態に基づく請求項８８に記載の装置。
【請求項９０】
前記レート予測状態は、確認メッセージと関連づけられた送信開始時間と、送信終了時間と、送信期間と、送信電力デルタと、受信信号強度表示と、から成るグループの少なくとも１つを備える請求項８９に記載の装置。
【請求項９１】
前記装置は、第３の無線ノードが送信中に前記装置が持続可能な形でデータを受信することができるかどうかを決定するための手段をさらに備え、
前記持続可能な受信の決定に基づき、定義するための前記手段は、異なるスケジュールと、異なる送信期間と、異なる送信電力と、送信すべき異なる数の冗長性ビットと、異なるコードレートと、から成るグループの少なくとも１つを含むように前記情報をさらに定義する請求項８１に記載の装置。
【請求項９２】
前記装置は、前記第１の無線ノードのスケジューリングされた送信期間に関連する情報を入手するための手段をさらに備え、
定義するための前記手段は、前記入手された情報に基づいて前記定義された情報の送信をスケジューリングする請求項８１に記載の装置。
【請求項９３】
前記定義された情報の前記送信は、前記スケジューリングされた送信期間後に開始するようにスケジューリングされる請求項９２に記載の装置。
【請求項９４】
無線通信のためのコンピュータプログラムであって、
第１の無線ノードに関するスケジューリングされたデータ受信を示す情報を定義し、
前記定義された情報を送信するために装置によって実行可能な符号を備えるコンピュータによって読み取り可能な媒体であって、前記情報は、第２の無線ノードが前記スケジューリングされたデータ受信と関連づけられた期間中に第３の無線ノードに送信すべきかどうか決定するのを可能にするように定義され、前記情報は、前記第１の無線ノードによって定義された少なくとも１つの送信パラメータを備えるコンピュータによって読み取り可能な媒体、を備える、無線通信のためのコンピュータプログラム。
【請求項９５】
無線通信のためのアクセスポイントであって、
アンテナと、
前記アンテナを介して前記アクセスポイントに関するスケジューリングされたデータ受信を示す情報を定義するように構成された情報定義器であって、前記情報は、第１の無線ノードが前記スケジューリングされたデータ受信と関連づけられた期間中に第２の無線ノードに送信すべきかどうかを決定するのを可能にするように定義され、前記情報は、前記アクセスポイントによって定義された少なくとも１つの送信パラメータを備える情報定義器と、
前記アンテナを介して前記定義された情報を送信するように構成された送信機と、を備える、無線通信のためのアクセスポイント。
【請求項９６】
無線通信のためのアクセス端末であって、
前記アクセス端末に関するスケジューリングされたデータ受信を示す情報を定義するように構成された情報定義器であって、前記情報は、第１の無線ノードが前記スケジューリングされたデータ受信と関連づけられた期間中に第２の無線ノードに送信すべきかどうかを決定するのを可能にするように定義され、前記情報は、前記アクセス端末によって定義された少なくとも１つの送信パラメータを備える情報定義器と、
前記定義された情報を送信するように構成された送信機と、
前記スケジューリングされたデータ受信に基づいて表示を出力するように構成されたユーザーインタフェースと、を備える、無線通信のためのアクセス端末。
【請求項９７】
前記第１の無線ノードは、無線送信を介して、前記第２の無線ノードから、前記情報を受信する、請求項１に記載の方法。
【請求項９８】
前記情報は、制御チャネルを介して受信され、
送信すべきかどうかの前記決定は、データチャネルを介して送信すべきかどうかを決定することを備える、請求項１に記載の方法。
【手続補正２】
【補正対象書類名】明細書
【補正対象項目名】０１５０
【補正方法】変更
【補正の内容】
【０１５０】
開示される側面に関する上記の説明は、当業者が本開示を製造又は使用できるようにすることを目的とするものである。これらの側面に対する様々な修正は、当業者にとって容易に明確になるであろう。さらに、本明細書において定められている一般原理は、本開示の適用範囲を逸脱しない形でその他の側面に対しても適用することができる。以上のように、本開示は、本明細書において示される側面に限定されることが意図されるものではなく、本明細書において開示される原理及び斬新な特長に一致する限りにおいて最も広範な適用範囲が認められるべきである。
以下に本件出願当初の特許請求の範囲を付記する。
［Ｃ１］
無線通信方法であって、
第１の無線ノードにおいて、第２の無線ノードに関するスケジューリングされたデータ受信を示す情報を受信することと、
前記受信された情報に基づき、前記スケジューリングされたデータ受信と関連づけられた期間中に前記第１の無線ノードから送信すべきかどうかを決定すること、とを備える、無線通信方法。
［Ｃ２］
送信すべきかどうかの前記決定は、制御チャネルを介して送信すべきかどうかを決定することを備える［Ｃ１］に記載の方法。
［Ｃ３］
前記受信された情報に基づいて送信制限状態を定義することと、
前記送信制限状態に基づき、前記第１の無線ノードによる送信が前記期間中において前記第２の無線ノードにおける受信と干渉するかどうかを決定すること、とをさらに備え、前記制御チャネルにおいて送信すべきかどうかの前記決定は、前記干渉決定に基づく［Ｃ２］に記載の方法。
［Ｃ４］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ３］に記載の方法。
［Ｃ５］
前記第１の無線ノードは、データチャネルを介してデータを送信し、
前記制御チャネル及び前記データチャネルは、共通の周波数帯域内において周波数分割多重化され、
前記制御チャネルは、前記共通の周波数帯域内に散在される複数の副周波数帯域と関連づけられる［Ｃ２］に記載の方法。
［Ｃ６］
送信すべきかどうかの前記決定は、
前記受信された情報に基づき、前記第１の無線ノードによる送信が前記期間中において前記第２の無線ノードにおける受信と干渉するかどうかを決定することと、
前記干渉決定に基づき、送信要求を出すべきかどうか又はどのようにして出すかを決定すること、とを備える［Ｃ１］に記載の方法。
［Ｃ７］
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える［Ｃ６］に記載の方法。
［Ｃ８］
前記受信された情報に基づいて送信制限状態を定義することと、
前記送信制限状態に基づき、前記第１の無線ノードによる送信が前記期間中において前記第２の無線ノードにおける受信と干渉するかどうかを決定することと、
前記干渉決定に基づき、送信要求を出すべきかどうか又はどのようにして出すかを決定すること、とをさらに備える［Ｃ１］に記載の方法。
［Ｃ９］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ８］に記載の方法。
［Ｃ１０］
前記送信が受信と干渉するかどうかの前記決定は、受信された許可メッセージ又は受信された肯定応答メッセージと関連づけられた受信信号強度表示に基づく［Ｃ８］に記載の方法。
［Ｃ１１］
前記受信された情報は、第３の無線ノードによる送信要求に応じて前記第２の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える［Ｃ１］に記載の方法。
［Ｃ１２］
前記第２の無線ノードは、スケジューリングされた送信期間内において定義された複数の時間セグメント中に第３の無線ノードによって送信されたデータを受信し、
制御情報の送信又は受信に関する時間間隔は、前記時間セグメント間において一時的に配置される［Ｃ１］に記載の方法。
［Ｃ１３］
前記受信された情報は、前記第２の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ１２］に記載の方法。
［Ｃ１４］
前記期間に後続する定義された期間中に制御情報の有無をモニタリングすることと、
前記受信された制御情報に基づき、送信制限状態と、レート予測状態と、から成るグループの少なくとも１つを定義すること、とをさらに備える［Ｃ１］に記載の方法。
［Ｃ１５］
希望される干渉低減レベルと、クリアされるべき資源と、受信無線ノードにおける受信が希望されるサービス品質レベルを満たしていない度合いの表示と、から成るグループの少なくとも１つを備える資源利用メッセージを受信することと、
前記資源利用メッセージに基づき、前記第１の無線ノードによる送信を制限すべきかどうかを決定すること、とをさらに備える［Ｃ１］に記載の方法。
［Ｃ１６］
送信を制限すべきかどうかの前記決定は、送信要求を送信するのを控えることと、のちの時点において送信するように要求することと、送信要求を遅らせることと、送信期間を決定することと、低下された電力レベルで送信するように要求すること、とから成るグループの少なくとも１つを備える［Ｃ１５］に記載の方法。
［Ｃ１７］
受信された資源利用メッセージに応じて、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記第１の無線ノードによる送信が前記第２の無線ノードにおける受信と干渉する可能性がある度合いに関連する一組の規則を修正すること、とから成るグループの少なくとも１つを実行することをさらに備える［Ｃ１５］に記載の方法。
［Ｃ１８］
無線通信のための装置であって、
第１の無線ノードにおいて、第２の無線ノードに関するスケジューリングされたデータ受信を示す情報を受信するように構成された受信機と、
前記受信された情報に基づき、前記スケジューリングされたデータ受信と関連づけられた期間中において前記第１の無線ノードから送信すべきかどうかを決定するように構成された送信コントローラと、を備える、無線通信のための装置。
［Ｃ１９］
送信すべきかどうかの前記決定は、制御チャネルを介して送信すべきかどうかを決定することを備える［Ｃ１８］に記載の装置。
［Ｃ２０］
前記受信された情報に基づいて送信制限状態を定義するように構成された状態コントローラと、
前記送信制限状態に基づき、前記第１の無線ノードによる送信が前記期間中において前記第２の無線ノードにおける受信と干渉するかどうかを決定するように構成された干渉決定器と、をさらに備え、前記制御チャネルにおいて送信すべきかどうかの前記決定は、前記干渉決定に基づく［Ｃ１９］に記載の装置。
［Ｃ２１］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ２０］に記載の装置。
［Ｃ２２］
前記第１の無線ノードは、データチャネルを介してデータを送信し、
前記制御チャネル及び前記データチャネルは、共通の周波数帯域内において周波数分割多重化され、
前記制御チャネルは、前記共通の周波数帯内に散在される複数の副周波数帯域と関連づけられる［Ｃ１９］に記載の装置。
［Ｃ２３］
送信すべきかどうかの前記決定は、
前記受信された情報に基づき、前記第１の無線ノードによる送信が前記期間中において前記第２の無線ノードにおける受信と干渉するかどうかを決定することと、
前記干渉決定に基づき、送信要求を出すべきかどうか又はどのようにして出すかを決定すること、とを備える［Ｃ１８］に記載の装置。
［Ｃ２４］
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える［Ｃ２３］に記載の装置。
［Ｃ２５］
前記受信された情報に基づいて送信制限状態を定義するように構成された状態コントローラと、
前記送信制限状態に基づき、前記第１の無線ノードによる送信が前記期間中において前記第２の無線ノードにおける受信と干渉するかどうかを決定するように構成された干渉決定器と、をさらに備え、前記送信コントローラは、前記干渉決定に基づき、送信要求を出すべきかどうか又はどのようにして出すかを決定するようにさらに構成される［Ｃ１８］に記載の装置。
［Ｃ２６］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ２５］に記載の装置。
［Ｃ２７］
前記送信が受信と干渉するかどうかの前記決定は、受信された許可メッセージ又は受信された肯定応答メッセージと関連づけられた受信信号強度表示に基づく［Ｃ２５］に記載の装置。
［Ｃ２８］
前記受信された情報は、送信要求に応じて第３の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える［Ｃ１８］に記載の装置。
［Ｃ２９］
前記第２の無線ノードは、スケジューリングされた送信期間内において定義された複数の時間セグメント中に第３の無線ノードによって送信されたデータを受信し、
制御情報の送信又は受信に関する時間間隔が、前記時間セグメント間において一時的に配置される［Ｃ１８］に記載の装置。
［Ｃ３０］
前記受信された情報は、前記第２の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ２９］に記載の装置。
［Ｃ３１］
前記受信機は、前記期間に後続する定義された期間中に制御情報の有無をモニタリングするようにさらに構成され、
前記装置は、受信された制御情報に基づき、送信制限状態と、レート予測状態と、から成るグループの少なくとも１つを定義するように構成された状態コントローラをさらに備える［Ｃ１８］に記載の装置。
［Ｃ３２］
前記受信機は、希望される干渉低減レベルと、クリアされるべき資源と、受信無線ノードにおける受信が希望されるサービス品質レベルを満たしていない度合いの表示と、から成るグループの少なくとも１つを備える資源利用メッセージを受信するようにさらに構成され、
前記装置は、前記資源利用メッセージに基づき、前記第１の無線ノードによる送信を制限すべきかどうかを決定するように構成された資源利用メッセージプロセッサをさらに備える［Ｃ１８］に記載の装置。
［Ｃ３３］
送信を制限すべきかどうかの前記決定は、送信要求を送信するのを控えることと、のちの時点において送信するように要求することと、送信要求を遅らせることと、低下された電力レベルで送信するように要求すること、とから成るグループの少なくとも１つを備える［Ｃ３２］に記載の装置。
［Ｃ３４］
受信された資源利用メッセージに応じて、前記送信コントローラは、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記第１の無線ノードによる送信が前記第２の無線ノードにおける受信と干渉する可能性がある度合いに関連する一組の規則を修正すること、とから成るグループの少なくとも１つを実行する［Ｃ３２］に記載の装置。
［Ｃ３５］
無線通信のための装置であって、
第１の無線ノードにおいて、第２の無線ノードに関するスケジューリングされたデータ受信を示す情報を受信するための手段と、
前記受信された情報に基づき、前記スケジューリングされたデータ受信と関連づけられた期間中に前記第１の無線ノードから送信すべきかどうかを決定するための手段と、を備える、無線通信のための装置。
［Ｃ３６］
送信すべきかどうかの前記決定は、制御チャネルを介して送信すべきかどうかを決定することを備える［Ｃ３５］に記載の装置。
［Ｃ３７］
前記受信された情報に基づいて送信制限状態を定義するための手段と、
前記送信制限状態に基づき、前記第１の無線ノードによる送信が前記期間中において前記第２の無線ノードにおける受信と干渉するかどうかを決定するための手段と、をさらに備え、前記制御チャネルにおいて送信すべきかどうかの前記決定は、前記干渉決定に基づく［Ｃ３６］に記載の装置。
［Ｃ３８］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ３７］に記載の装置。
［Ｃ３９］
前記第１の無線ノードは、データチャネルを介してデータを送信し、
前記制御チャネル及び前記データチャネルは、共通の周波数帯域内において周波数分割多重化され、
前記制御チャネルは、前記共通の周波数帯内に散在される複数の副周波数帯域と関連づけられる［Ｃ３６］に記載の装置。
［Ｃ４０］
送信すべきかどうかの前記決定は、
前記受信された情報に基づき、前記第１の無線ノードによる送信が前記期間中において前記第２の無線ノードにおける受信と干渉するかどうかを決定することと、
前記干渉決定に基づき、送信要求を出すべきかどうか又はどのようにして出すかを決定すること、とを備える［Ｃ３５］に記載の装置。
［Ｃ４１］
送信要求を出すべきかどうか又はどのようにして出すかの前記決定は、送信要求を送信するのを控えることと、のちの時点において送信するように要求することと、送信要求の送信を遅らせることと、送信期間を決定することと、低下された電力レベルで送信するように要求すること、とから成るグループの少なくとも１つを備える［Ｃ４０］に記載の装置。
［Ｃ４２］
前記受信された情報に基づいて送信制限状態を定義するための手段と、
前記送信制限状態に基づき、前記第１の無線ノードによる送信が前記期間中において前記第２の無線ノードにおける受信と干渉するかどうかを決定するための手段と、をさらに備え、送信すべきかどうかを決定するための前記手段は、前記干渉決定に基づき、送信要求を出すべきかどうか又はどのようにして出すかを決定する［Ｃ３５］に記載の装置。
［Ｃ４３］
前記送信制限状態は、許可メッセージ又は肯定応答メッセージと関連づけられた送信開始時間と、送信終了時間と、送信期間と、受信マージンと、受信信号強度表示と、から成るグループの少なくとも１つを備える［Ｃ４２］に記載の装置。
［Ｃ４４］
前記送信が受信と干渉するかどうかの前記決定は、受信された許可メッセージ又は受信された肯定応答メッセージと関連づけられた受信信号強度表示に基づく［Ｃ４２］に記載の装置。
［Ｃ４５］
前記受信された情報は、送信要求に応じて第３の無線ノードによって生成された許可メッセージを含み、
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える［Ｃ３５］に記載の装置。
［Ｃ４６］
前記第２の無線ノードは、スケジューリングされた送信期間内において定義された複数の時間セグメント中に第３の無線ノードによって送信されたデータを受信し、
制御情報の送信又は受信に関する時間間隔が、前記時間セグメント間において一時的に配置される［Ｃ３５］に記載の装置。
［Ｃ４７］
前記受信された情報は、前記第２の無線ノードが前記時間間隔中に送信した少なくとも１つの肯定応答メッセージを含み、
前記肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ４６］に記載の装置。
［Ｃ４８］
受信するための前記手段は、前記期間に後続する定義された期間中に制御情報の有無をモニタリングし、
前記装置は、受信された制御情報に基づき、送信制限状態と、レート予測状態と、から成るグループの少なくとも１つを定義するための手段をさらに備える［Ｃ３５］に記載の装置。
［Ｃ４９］
受信するための前記手段は、希望される干渉低減レベルと、クリアされるべき資源と、受信無線ノードにおける受信が希望されるサービス品質レベルを満たしていない度合いの表示と、から成るグループの少なくとも１つを備える資源利用メッセージをさらに受信し、
前記装置は、前記資源利用メッセージに基づき、前記第１の無線ノードによる送信を制限すべきかどうかを決定するための手段をさらに備える［Ｃ３５］に記載の装置。
［Ｃ５０］
送信を制限すべきかどうかの前記決定は、送信要求を送信するのを控えることと、のちの時点において送信するように要求することと、送信要求を遅らせることと、送信期間を決定することと、低下された電力レベルで送信するように要求すること、とから成るグループの少なくとも１つを備える［Ｃ４９］に記載の装置。
［Ｃ５１］
受信された資源利用メッセージに応じて、送信すべきかどうかを決定するための前記手段は、要求メッセージを送信するレートを変更することと、関連づけられた受信機の資源利用メッセージが前記受信された資源利用メッセージよりも高い不利度を示すまで要求メッセージの送信を控えることと、スケジューリングされた送信期間の長さを変更することと、送信電力デルタを変更することと、前記第１の無線ノードによる送信が前記第２の無線ノードにおける受信と干渉する可能性がある度合いに関連する一組の規則を修正すること、とから成るグループの少なくとも１つを実行する［Ｃ４９］に記載の装置。
［Ｃ５２］
無線通信のためのコンピュータプログラム製品であって、
第１の無線ノードにおいて、第２の無線ノードに関するスケジューリングされたデータ受信を示す情報を受信し、
前記受信された情報に基づき、前記スケジューリングされたデータ受信と関連づけられた期間中に前記第１の無線ノードから送信すべきかどうかを決定するために少なくとも１つのコンピュータによって実行可能な符号を備えるコンピュータによって読み取り可能な媒体を備える、無線通信のためのコンピュータプログラム製品。
［Ｃ５３］
無線通信のためのアクセスポイントであって、
アンテナと、
第１の無線ノードにおいて及び前記アンテナを介して、第２の無線ノードに関するスケジューリングされたデータ受信を示す情報を受信するように構成された受信機と、
前記受信された情報に基づき、前記スケジューリングされたデータ受信と関連づけられた期間中に前記第１の無線ノードから及び前記アンテナを介して送信すべきかどうかを決定するように構成された送信決定器と、を備える、無線通信のためのアクセスポイント。
［Ｃ５４］
無線通信のためのアクセス端末であって、
第１の無線ノードにおいて、第２の無線ノードに関するスケジューリングされたデータ受信を示す情報を受信するように構成された受信機と、
前記受信された情報に基づき、前記スケジューリングされたデータ受信と関連づけられた期間中に前記第１の無線ノードから送信すべきかどうかを決定するように構成された送信決定器と、
前記受信機によって受信されたデータに基づいて表示を出力するように構成されたユーザーインタフェースと、を備える、無線通信のためのアクセス端末。
［Ｃ５５］
無線通信方法であって、
第１の無線ノードに関するスケジューリングされたデータ受信を示す情報を定義することであって、前記情報は、第２の無線ノードが前記スケジューリングされたデータ受信と関連づけられた期間中に送信すべきかどうかを決定するのを可能にするように定義されることと、
前記定義された情報を送信すること、とを備える、無線通信方法。
［Ｃ５６］
前記定義された情報は、第３の無線ノードによって生成された送信要求に応じて生成された許可メッセージを含む［Ｃ５５］に記載の方法。
［Ｃ５７］
前記許可メッセージは、送信開始時間と、送信終了時間と、送信期間と、送信電力と、送信すべき冗長性ビット数と、コードレートと、予想されるチャネル対干渉比と、受信マージンと、パイロット信号と、から成るグループの少なくとも１つを備える［Ｃ５６］に記載の方法。
［Ｃ５８］
スケジューリングされた送信期間内において定義された複数の時間セグメント中にデータを受信することをさらに備え、制御情報の送信に関する時間間隔が、前記時間セグメント間において一時的に配置される［Ｃ５５］に記載の方法。
［Ｃ５９］
前記定義された情報は、前記時間間隔中に送信される少なくとも１つの肯定応答メッセージを含む［Ｃ５８］に記載の方法。
［Ｃ６０］
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ５９］に記載の方法。
［Ｃ６１］
前記第１の無線ノードは、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯域内に散在される複数の副周波数帯域と関連づけられる［Ｃ５５］に記載の方法。
［Ｃ６２］
前記第１の無線ノードは、第３の無線ノードが送信中に持続可能な形でデータを受信することができるかどうかを決定することと、
前記持続可能な受信の決定に基づき、前記定義された情報を送信すべきかどうかを決定すること、とをさらに備える［Ｃ５５］に記載の方法。
［Ｃ６３］
前記持続可能な受信の決定は、レート予測状態に基づく［Ｃ６２］に記載の方法。
［Ｃ６４］
前記レート予測状態は、確認メッセージと関連づけられた送信開始時間と、送信終了時間と、送信期間と、送信電力デルタと、受信信号強度表示と、から成るグループの少なくとも１つを備える［Ｃ６３］に記載の方法。
［Ｃ６５］
第３の無線ノードが送信中に前記第１の無線ノードが持続可能な形でデータを受信することができるかどうかを決定することと、
前記持続可能な受信の決定に基づき、異なるスケジュールと、異なる送信期間と、異なる送信電力と、異なる数の冗長性ビットと、異なるコードレートと、から成るグループの少なくとも１つを含むように前記情報を定義すること、とをさらに備える［Ｃ５５］に記載の方法。
［Ｃ６６］
前記第２の無線ノードのスケジューリングされた送信期間に関連する情報を入手することと、
前記入手された情報に基づいて前記定義された情報の送信をスケジューリングすること、とをさらに備える［Ｃ５５］に記載の方法。
［Ｃ６７］
前記定義された情報の前記送信は、前記スケジューリングされた送信期間後に開始するようにスケジューリングされる［Ｃ６６］に記載の方法。
［Ｃ６８］
無線通信のための装置であって、
第１の無線ノードに関するスケジューリングされたデータ受信を示す情報を定義するように構成された受信コントローラであって、前記情報は、第２の無線ノードが前記スケジューリングされたデータ受信と関連づけられた期間中に送信すべきかどうかを決定するのを可能にするように定義される受信コントローラと、
前記定義された情報を送信するように構成された送信機と、を備える、無線通信のための装置。
［Ｃ６９］
前記定義された情報は、第３の無線ノードによって生成された送信要求に応じて生成された許可メッセージを含む［Ｃ６８］に記載の装置。
［Ｃ７０］
前記許可メッセージは、送信開始時間と、送信終了時間と、送信期間と、受信電力と、送信すべき冗長性ビット数と、コードレートと、予想されるチャネル対干渉比と、受信マージンと、パイロット信号と、から成るグループの少なくとも１つを備える［Ｃ６９］に記載の装置。
［Ｃ７１］
スケジューリングされた送信期間内において定義された複数の時間セグメント中にデータを受信するように構成された受信機をさらに備え、制御情報の送信に関する時間間隔が、前記時間セグメント間において一時的に配置される［Ｃ６８］に記載の装置。
［Ｃ７２］
前記定義された情報は、前記時間間隔中に送信される少なくとも１つの肯定応答メッセージを含む［Ｃ７１］に記載の装置。
［Ｃ７３］
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ７２］に記載の装置。
［Ｃ７４］
前記第１の無線ノードは、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯内に散在される複数の副周波数帯域と関連づけられる［Ｃ６８］に記載の装置。
［Ｃ７５］
第３の無線ノードが送信中に前記第１の無線ノードが持続可能な形でデータを受信することができるかどうかを決定するように構成された持続可能受信決定器と、
前記持続可能な受信の決定に基づき、前記定義された情報を送信すべきかどうかを決定するように構成された受信コントローラと、をさらに備える［Ｃ６８］に記載の装置。
［Ｃ７６］
前記持続可能な受信の決定は、レート予測状態に基づく［Ｃ７５］に記載の装置。
［Ｃ７７］
前記レート予測状態は、確認メッセージと関連づけられた送信開始時間と、送信終了時間と、送信期間と、送信電力デルタと、受信信号強度表示と、から成るグループの少なくとも１つを備える［Ｃ７６］に記載の装置。
［Ｃ７８］
前記装置は、第３の無線ノードが送信中に前記第１の無線ノードが持続可能な形でデータを受信することができるかどうかを決定するように構成された持続可能受信決定器をさらに備え、
前記持続可能な受信の決定に基づき、前記受信コントローラは、異なるスケジュールと、異なる送信期間と、異なる送信電力と、異なる数の冗長性ビットと、異なるコードレートと、から成るグループの少なくとも１つを含むように前記情報を定義するようにさらに構成される［Ｃ６８］に記載の装置。
［Ｃ７９］
前記装置は、前記第２の無線ノードのスケジューリングされた送信期間に関連する情報を入手するように構成された受信機をさらに備え、
前記受信コントローラは、前記入手された情報に基づいて前記定義された情報の送信をスケジューリングするようにさらに構成される［Ｃ６８］に記載の装置。
［Ｃ８０］
前記定義された情報の前記送信は、前記スケジューリングされた送信期間後に開始するようにスケジューリングされる［Ｃ７９］に記載の装置。
［Ｃ８１］
無線通信のための装置であって、
第１の無線ノードに関するスケジューリングされたデータ受信を示す情報を定義するための手段であって、前記情報は、第２の無線ノードが前記スケジューリングされたデータ受信と関連づけられた期間中に送信すべきかどうかを決定するのを可能にするように定義される手段と、
前記定義された情報を送信するための手段と、を備える、無線通信のための装置。
［Ｃ８２］
前記定義された情報は、第３の無線ノードによって生成された送信要求に応じて生成された許可メッセージを含む［Ｃ８１］に記載の装置。
［Ｃ８３］
前記許可メッセージは、送信開始時間と、送信終了時間と、送信期間と、受信電力と、送信すべき冗長性ビット数と、コードレートと、予想されるチャネル対干渉比と、受信マージンと、パイロット信号と、から成るグループの少なくとも１つを備える［Ｃ８２］に記載の装置。
［Ｃ８４］
スケジューリングされた送信期間内において定義された複数の時間セグメント中にデータを受信するための手段をさらに備え、制御情報の送信に関する時間間隔が、前記時間セグメント間において一時的に配置される［Ｃ８１］に記載の装置。
［Ｃ８５］
前記定義された情報は、前記時間間隔中に送信される少なくとも１つの肯定応答メッセージを含む［Ｃ８４］に記載の装置。
［Ｃ８６］
前記少なくとも１つの肯定応答メッセージは、前記時間セグメントのうちの少なくとも１つに関する送信開始時間と、前記時間セグメントのうちの少なくとも１つに関する送信終了時間と、前記時間セグメントのうちの少なくとも１つに関する送信期間と、前記時間セグメントのうちの少なくとも１つに関する送信電力と、前記時間セグメントのうちの少なくとも１つに関する送信すべき冗長性ビット数と、前記時間セグメントのうちの少なくとも１つに関するコードレートと、前記時間セグメントのうちの少なくとも１つに関する予想されるチャネル対干渉比と、受信マージンと、パイロット信号と、から成るグループの少なくとも１つを備える［Ｃ８５］に記載の装置。
［Ｃ８７］
前記第１の無線ノードは、データチャネルを介してデータを送信し、
前記定義された情報は、制御チャネルを介して送信され、
前記制御チャネル及び前記データチャネルは、共通の周波数帯域内において周波数分割多重化され、
前記制御チャネルは、前記共通の周波数帯域内に散在される複数の副周波数帯域と関連づけられる［Ｃ８１］に記載の装置。
［Ｃ８８］
第３の無線ノードが送信中に前記第１の無線ノードが持続可能な形でデータを受信することができるかどうかを決定するための手段と、
前記持続可能な受信の決定に基づき、前記定義された情報を送信すべきかどうかを決定するための手段と、をさらに備える［Ｃ８１］に記載の装置。
［Ｃ８９］
前記持続可能な受信の決定は、レート予測状態に基づく［Ｃ８８］に記載の装置。
［Ｃ９０］
前記レート予測状態は、確認メッセージと関連づけられた送信開始時間と、送信終了時間と、送信期間と、送信電力デルタと、受信信号強度表示と、から成るグループの少なくとも１つを備える［Ｃ８９］に記載の装置。
［Ｃ９１］
前記装置は、第３の無線ノードが送信中に前記第１の無線ノードが持続可能な形でデータを受信することができるかどうかを決定するための手段をさらに備え、
前記持続可能な受信の決定に基づき、定義するための前記手段は、異なるスケジュールと、異なる送信期間と、異なる送信電力と、異なる数の冗長性ビットと、異なるコードレートと、から成るグループの少なくとも１つを含むように前記情報をさらに定義する［Ｃ８１］に記載の装置。
［Ｃ９２］
前記装置は、前記第２の無線ノードのスケジューリングされた送信期間に関連する情報を入手するための手段をさらに備え、
定義するための前記手段は、前記入手された情報に基づいて前記定義された情報の送信をスケジューリングする［Ｃ８１］に記載の装置。
［Ｃ９３］
前記定義された情報の前記送信は、前記スケジューリングされた送信期間後に開始するようにスケジューリングされる［Ｃ９２］に記載の装置。
［Ｃ９４］
無線通信のためのコンピュータプログラム製品であって、
第１の無線ノードに関するスケジューリングされたデータ受信を示す情報を定義し、
前記定義された情報を送信するために少なくとも１つのコンピュータによって実行可能な符号を備えるコンピュータによって読み取り可能な媒体であって、前記情報は、第２の無線ノードが前記スケジューリングされたデータ受信と関連づけられた期間中に送信すべきかどうか決定するのを可能にするように定義されるコンピュータによって読み取り可能な媒体、を備える、無線通信のためのコンピュータプログラム製品。
［Ｃ９５］
無線通信のためのアクセスポイントであって、
アンテナと、
前記アンテナを介しての第１の無線ノードに関するスケジューリングされたデータ受信を示す情報を定義するように構成された情報定義器であって、前記情報は、第２の無線ノードが前記スケジューリングされたデータ受信と関連づけられた期間中に送信すべきかどうかを決定するのを可能にするように定義される情報定義器と、
前記アンテナを介して前記定義された情報を送信するように構成された送信機と、を備える、無線通信のためのアクセスポイント。
［Ｃ９６］
無線通信のためのアクセス端末であって、
第１の無線ノードに関するスケジューリングされたデータ受信を示す情報を定義するように構成された情報定義器であって、前記情報は、第２の無線ノードが前記スケジューリングされたデータ受信と関連づけられた期間中に送信すべきかどうかを決定するのを可能にするように定義される情報定義器と、
前記定義された情報を送信するように構成された送信機と、
前記スケジューリングされたデータ受信に基づいて表示を出力するように構成されたユーザーインタフェースと、を備える、無線通信のためのアクセス端末。